(57)【要約】【課題】簡明な構成で複雑な発光表現が可能な遊技機の電気装飾装置を提供する。【解決手段】電気装飾装置１００は、それぞれ光拡散性を有するコアとコアの周囲を覆うクラッドとからなり線状ないし棒状に形成された複数のライトガイド１１０と、各ライトガイドのコア内に照明光を出射する照明光源１２０とを備え、各ライトガイドの発光領域を遊技者が視認可能に配設するとともに、これらのライトガイドが延びる方向に相互に交差する交差部を設けて発光表示部１０１を構成し、照明光源１２０が複数のライトガイドに対して各ライトガイドごとに異なる色彩の照明光を出射するように構成される。【選択図】図５
2008161371.tif 000002
【特許請求の範囲】
【請求項１】
それぞれ光拡散性を有して線状ないし棒状に形成された複数のライトガイドと、
各前記ライトガイドの端部から前記ライトガイド内に照明光を出射する照明光源とを備え、
各前記ライトガイドの中間部に形成される発光領域を遊技者が視認可能に配設するとともに、これらのライトガイドが延びる方向において相互に交差する交差部を設けて発光表示部を構成し、
前記照明光源が前記複数のライトガイドに対して各ライトガイドごとに異なる色彩の照明光を出射するように構成したことを特徴とする遊技機の電気装飾装置。
【請求項２】
前記照明光源が、前記複数のライトガイドにそれぞれ対応した複数の光源を備え、
前記複数の光源が各々異なる色彩の照明光を出射するように構成したことを特徴とする請求項１に記載の遊技機の電気装飾装置。
【請求項３】
前記ライトガイドは、光拡散性を有するコアと前記コアの周囲を覆い前記コアよりも低屈折率のクラッドとからなることを特徴とする請求項１または請求項２に記載の遊技機の電気装飾装置。
【請求項４】
前記ライトガイドは可撓性を有するプラスティック光ファイバーからなり、
複数の前記ライトガイドが前記発光表示部においてライトガイドの延びる方向に捩られて相互に交差して配設されることを特徴とする請求項１から請求項３のいずれか一項に記載の遊技機の電気装飾装置。
【発明の詳細な説明】
【技術分野】
【０００１】
本発明は、遊技機に用いられ遊技展開に応じて点灯または点滅表示される遊技機の電気装飾装置に関する。
【背景技術】
【０００２】
パチンコ機やアレンジボール機、スロットマシンなどの遊技機では、遊技の単調化を抑制して遊技者を視覚的にも楽しませるため、照明光源を備えた電気装飾装置（一般に電飾装置と称される）が遊技機各部に設けられており、遊技展開に応じて照明光源から照明光を出射させて電飾装置を点灯または点滅させるように構成されている。
【０００３】
このような電飾装置に用いられる照明光源は、従来では小型のランプや電球等を光源として用いるとともに、その前方に有色透明のレンズ部材を配設してレンズ部材を透過した透過光を出射させ、レンズ部材の色彩に応じた発光を遊技者に視認させるように構成されており、遊技機各部に異なる色彩のレンズ部材を装着することで複数色の電気装飾を行っていた。近年では、半導体技術の進展によって発光ダイオード（ＬＥＤ）の発光色が任意選択可能となり、ＬＥＤの発光輝度も高くなってきたことから、光源として小型、軽量で基板実装も可能なＬＥＤを用いた電飾装置が種々考案され、遊技機に用いられるようになっている（例えば、特許文献１、特許文献２を参照）。
【０００４】
【特許文献１】特開２０００−２７９５７８号公報
【特許文献２】特開２００２−２８２４３６号公報
【発明の開示】
【発明が解決しようとする課題】
【０００５】
しかしながら、上記したような従来の電飾装置では、照明光源に多数のランプやＬＥＤを用いたとしても、電飾装置の変化の態様が固定的で演出効果が乏しいという課題があった。一方、特許文献２に開示されたような電飾装置では、光源の点灯または点滅と可動反射体の作動を制御することによって従来よりも複雑な演出制御が可能ではあるが、電飾装置の機構及び制御構成が複雑であり装置が大型化するとともに、生産コストが増大するという課題があった。
【０００６】
本発明はこのような課題に鑑みてなされたものであり、簡明な構成で複雑な発光表現を行うことができる遊技機の電気装飾装置を提供することを目的とする。
【課題を解決するための手段】
【０００７】
上記課題を解決して目的を達成するため、本発明に係る遊技機の電気装飾装置（例えば、実施形態におけるライトガイド電飾装置１００，２００，３００）は、それぞれ光拡散性を有して線状ないし棒状に形成された複数のライトガイドと、各ライトガイドの端部からライトガイド内に照明光を出射する照明光源とを備え、各ライトガイドの中間部に形成される発光領域を遊技者が視認可能に配設するとともに、これらのライトガイドが延びる方向において相互に交差する交差部を設けて発光表示部を構成し、照明光源が複数のライトガイドに対して各ライトガイドごとに異なる色彩の照明光を出射するように構成される。
【０００８】
なお、上記照明光源が、複数のライトガイドにそれぞれ対応した複数の光源（例えば、実施形態におけるＬＥＤ１２６ａ，１２６ｂ，１２６ｃ等）を備え、これらの複数の光源が各々異なる色彩の照明光を出射するように構成することが好ましい。
【０００９】
上記ライトガイドは、光拡散性を有するコアと、このコアの周囲を覆いコアよりも低屈折率のクラッドとからなることが好ましい。
【００１０】
また、上記ライトガイドが可撓性を有するプラスティック光ファイバーからなり、複数のライトガイドが発光表示部においてライトガイドの延びる方向に捩られて相互に交差して配設されることが好ましい。
【発明の効果】
【００１１】
本発明に係る遊技機の電気装飾装置では、光拡散性を有して線状ないし棒状に形成されたライトガイドが複数設けられ、これらのライトガイドの発光領域が遊技者に視認可能に配設されるとともに相互に交差する交差部を有した発光表示部が形成され、照明光源が複数のライトガイドに対して各ライトガイドごとに異なる色彩の照明光を出射するように構成される。このため、発光表示部においては、照明光源が点灯されたときに、ライトガイドの交差部では、遊技者の視線上にある奥側のライトガイドの発光色と手前側のライトガイドの発光色とが混ざり合い、照明光と異なる発色及び輝度の発光が視認される。従って、ライトガイドと照明光源とからなる簡明な構成で複雑な発光表現の可能な電気装飾装置を得ることができる。
【００１２】
なお、照明光源が複数のライトガイドに対応した複数の光源を備え、これらが各々異なる色彩の照明光を出射するような構成によれば、複数の光源のいずれかを点灯または点滅させ、あるいは全部を点灯または点滅させ、時間差を設けて点滅させる等により、より複雑な発光表現の可能な電気装飾装置を得ることができる。
【００１３】
ライトガイドが、光拡散性を有するコアと、コアの周囲を覆いコアよりも低屈折率のクラッドとからなる構成によれば、ライトガイド内に照射された照明光がクラッドで繰り返し反射されて軸方向の遠方まで伝送されるとともに、この伝送経路において光拡散性を有するコアにより外周方向に拡散されるため、直径に対して比較的長尺のライトガイドであってもライトガイド全体を発光させることができる。
【００１４】
また、ライトガイドが可撓性を有するプラスティック光ファイバー（ＰＯＦ）からなり、発光表示部において複数のライトガイドが捩られて相互に交差して配設されるするような構成によれば、交差部の形態が立体的に変化し、多色の混合部も生じるため、さらに複雑な発光表現の可能な電気装飾装置を得ることができる。
【００１５】
従って、本発明によれば、ライトガイドと照明光源とからなる簡明な構成で、複雑な発光表現を行うことができる遊技機の電気装飾装置を提供することができる。
【発明を実施するための最良の形態】
【００１６】
以下、図面を参照して本発明の好ましい実施形態について説明する。本発明を適用した遊技機の一例としてパチンコ機ＰＭの正面図を図１に示しており、まずこの図を参照してパチンコ機ＰＭの全体構成について概要説明する。
【００１７】
パチンコ機ＰＭは、外郭方形の所定枠サイズに構成されて縦向きの固定保持枠をなす外枠１の開口前面に、これに合わせた方形枠サイズに構成された開閉搭載用の前枠２が互いの正面左側上下に配設された枠ヒンジ機構３ａ，３ｂにより前方に横開き開閉および着脱が可能に取り付けられ、正面右側に設けられた施錠装置４を利用して常には外枠１と係合連結された閉止状態に保持される。
【００１８】
前枠２の前面側では、前側面域に合わせた方形状のガラス扉５および球皿ユニット６が正面左側部に設けられたヒンジ機構７ａ，７ｂ，７ｃを利用して横開き開閉および着脱が可能に組付けられ、常には施錠装置４を利用して閉鎖状態に保持される。球皿ユニット６の右側下部には遊技球の発射操作を行う発射ハンドル８が設けられている。前枠２の上部には、遊技盤１０を前方から着脱可能に収容保持する収容枠が前枠２に一体成型されており、この収容枠に所定のゲージ設定で構成された遊技盤１０が着脱可能にセット保持され、常には閉鎖保持されるガラス扉５を通して遊技領域ＰＡを臨ませるようになっている。
【００１９】
遊技盤１０単体の正面図を図２、この遊技盤１０を左右の斜め前方から見た斜視図をそれぞれ図３及び図４に示すように、遊技盤１０は積層合板の表面に所定意匠の施されたセルが粘付された化粧板１１（一般的にベニヤと称される）を基板とし、その前面側に内外の案内レールに囲まれて、遊技球発射装置から打ち出された遊技球が転動可能な略円形の遊技領域ＰＡが形成される。遊技領域ＰＡには、多数本の遊技釘や風車とともに、固定入賞具や可動入賞具等の各種の入賞具１４、化粧板１１を表裏貫通する箱枠状に形成され遊技球が転動可能な波形ステージ１５ｓが設けられた中央飾り１５、中央飾り１５の奥部に位置して遊技盤の裏面側に取り付けられ遊技の進行状況に応じたアニメーション画像を表示する画像表示装置１６などが設けられ、遊技領域ＰＡの下端には入賞具１４に入賞せずに遊技領域ＰＡの下端まで落下した遊技球を遊技盤１０の裏面に排出させるアウト口１７が設けられている。球皿ユニット６の奥部には効果音を発生するスピーカ１８が設けられ、ガラス扉５及び遊技盤１０の各部には、ＬＥＤやランプ等の光源を用いた種々の電気装飾装置２０，２０…が設けられている。
【００２０】
遊技盤１０の後方に位置する前枠２の裏面側には、詳細図示を省略するが、裏セット盤と称される機構セット盤が取り付けられており、ここに、球貯留タンクや球払出装置などの賞球の払出機構、遊技盤１０から排出されたセーフ球やアウト球等の遊技済み球を遊技施設の回収装置に導く遊技済み球排出機構などの球処理機構が設けられている。また、裏セット盤の後面側の各部には、パチンコ機ＰＭの作動を統括的に制御する主制御基板３１（図６を参照）、主制御基板における遊技展開状況に応じて画像表示装置１６、スピーカ１７及び電気装飾装置２０の作動を制御し遊技展開を視覚的・聴覚的に演出する演出制御基板３２（図６を参照）、主制御基板からの指令信号に基づいて球払出装置の作動を制御する払出制御基板、発射ハンドル８からの操作信号に応じて遊技球発射装置の作動を制御する発射制御基板などの種々の回路基板が取り付けられ、これらがコネクタケーブルで接続されてパチンコ機ＰＭが作動可能に構成される。
【００２１】
このように概要構成されるパチンコ機ＰＭにあって、複数設けられた電気装飾装置２０のひとつとして、中央飾り１５の右側部に、ライトガイド電飾装置１００が設けられている。ライトガイド電飾装置１００は、光拡散性を有して細長い線状ないし棒状に形成されたライトガイド１１０と、ライトガイド１１０の端部からライトガイド内に照明光を出射する照明光源１２０とを主体として構成される。
【００２２】
ライトガイド、すなわち光エネルギーの伝送を目的とする光伝送体は、例えば顕微鏡や内視鏡など観察領域に照明光を伝送する媒体や、広告宣伝用の光伝送媒体として広く用いられている。ライトガイドには種々の構成形態があるが、これを光伝送体のコア材で分類すると、多成分ガラスを用いた多成分光ファイバーと、ポリメチルメタクリレート（ＰＭＭＡ）やシリコーン系ポリマー等の樹脂材料を用いたプラスティック光ファイバー（ＰＯＦ）とに大別される。本発明に係る電気装飾装置では上記いずれの形態のライトガイドを用いることも可能であり、コア材のみからなる棒状ないし線状のライトガイドを用いることも可能であるが、各図に示すライトガイド電飾装置１００においては、光拡散性を有するコアとコアの周囲を覆いコアよりも低屈折率のクラッドとからなるライトガイドを用いた構成例を例示しており、具体的には、直径φ２〜１０mm程度（図５に示す実施例ではφ６mm程度）の透明なフッ素樹脂系のチューブ状クラッドに、クラッドよりも屈折率の高い透明樹脂材料を充填硬化させて、外観視透明で可撓性（フレキシビリティ）を有するＰＯＦを用いている。またコア材には、コア内に入射した照明光をライトガイドの径方向に拡散させて出射させる光散乱用の微粒子が分散されている。光散乱用の微粒子としては直径数十ミクロンメータ程度の微粒子、例えば多成分ガラスや石英ガラスなどのガラス微粒子、Al2O3やTiO2などの金属微粒子、シリコーン樹脂やポリスチレン樹脂等の有機ポリマー微粒子等を用いることができる。
【００２３】
ライトガイド電飾装置１００では、上記のようなＰＯＦを長さ180mm程度に切断して３本のライドガイド１１０（１１１，１１２，１１３）を形成し、各ライトガイドの上下に端部からコア内に照明光を出射する照明光源１２０を設けている。ライトガイド電飾装置１００の下半分の要部構造を図５に拡大して示すように、ライトガイド１１１〜１１３は、ライトガイドが延びる長手方向に相互に交差して複数の交差部が形成されるように長手方向に捩った状態（各ライトガイドが緩やかな螺旋を描くような状態）で半円筒状の透明なケース１３１に収容されて中央飾り１５の右側部に取り付けられ、ライトガイドの発光領域を遊技者が視認可能な発光表示部１０１が形成される。発光表示部１０１の前方（遊技者側）には、表裏を貫通する小径の透孔が多数設けられ、光を反射させる金属膜がメッキまたは蒸着形成されたパンチングメタル風のグリル部材１３２が発光表示部１０１の一部を覆うように配設されている。
【００２４】
照明光源１２０は、発光表示部１０１の下方からライトガイド１１０（１１１〜１１３）のコア内に照明光を出射する第１照明光源１２１と、発光表示部１０１の上方からライトガイド１１０（１１１〜１１３）のコア内に照明光を出射する及び第２照明光源１２２とから構成される。第１照明光源１２１及び第２照明光源１２２は、それぞれランプ等の単一の光源と、ライトガイド１１１〜１１３に対応した３箇所の投光部にフィルタを設けて構成することもできるが、本実施形態においては、各ライトガイド１１１〜１１３ごとに単独発光を可能とし、かつ発光表現を多様化するため、それぞれ３本のライトガイドに対応して３個の発光ダイオード（以下、ＬＥＤと表記する）を光源として設け、各ＬＥＤの作動を演出制御基板３２内の電飾制御部１５０により制御する構成としている。第１実施形態のライトガイド電飾装置１００における制御構成のブロック図を図６に示す。
【００２５】
具体的には、第１照明光源１２１は、所定の配線構造が形成されたプリント配線板１２５を基板とし、このプリント配線板１２５に３本のライトガイド１１１〜１１３に対応した３個のＬＥＤ１２６（１２６ａ，１２６ｂ，１２６ｃ）と、各ＬＥＤに電力を供給するコネクタ１２８とが基板実装されて構成される。３個のＬＥＤ１２６は、各ライトガイドごとに各々異なる発光色の素子が用いられ、例えば、光の３原色であるＲ（赤）Ｇ（緑）Ｂ（青）を各々発光色とするＬＥＤを用い、第１のライトガイド１１１に対して赤色発光のＬＥＤ１２６ａ、第２のライトガイド１１２に対して青色発光のＬＥＤ１２６ｂ、第３のライトガイド１１３に対して緑色発光のＬＥＤ１２６ｃが実装される。
【００２６】
第２照明光源１２１も第１照明光源１２２と同様に構成され、プリント配線板１２５にライトガイド１１１〜１１３に対応した３個のＬＥＤ１２７（１２７ａ，１２７ｂ，１２７ｃ）と、各ＬＥＤに電力を供給するコネクタ１２８とが基板実装されて構成される。３個のＬＥＤ１２７は、各ライトガイドごとに各々異なる発光色の素子が用いられ、第１実施形態の電飾装置１００においては、同一のライトガイドに対して同一色の発光素子が用いられる。すなわち、第１のライトガイド１１１に対して赤色発光のＬＥＤ１２７ａ、第２のライトガイド１１２に対して青色発光のＬＥＤ１２７ｂ、第３のライトガイド１１３に対して緑色発光のＬＥＤ１２７ｃが実装される。
【００２７】
そして、３本のライトガイド１１１〜１１３と、第１，第２照明光源１２１，１２２とが接続部材１４０により接続される。接続部材１４０によるライトガイド１１０と第１照明光源１２１との接続を、第１のライトガイド１１１とＬＥＤ１２６ａを例として図７に示すように、接続部材１４０には、一端にライトガイド１１０（１１１）の端部が各々嵌着されるガイド嵌合部１４１が形成され、他端にＬＥＤ１２６（１２６ａ）を受容する光源受容部１４２がガイド嵌合部１４１と同一軸上に形成されて、接続部材１４０の内部に各ガイド嵌合部１４１と各光源受容部１４２との間をそれぞれ周囲から閉塞した状態で連絡する導光部１４５が形成されている。
【００２８】
第１照明光源１２１の取着部周辺の背面斜視図を図８に示すように、接続部材１４０には、プリント配線板１２５に穿設された２箇所の位置決め孔と嵌合する位置決め突起１４３が２箇所形成されており、これらを嵌合させてプリント配線板１２５を接続部材１４０にネジ止めしたときに、第１照明光源１２１のＬＥＤ１２６ａ，１２６ｂ，１２６ｃが光源受容部１４２の軸心に位置決めされて配設されるようになっている。導光部１４５の内周面には各ＬＥＤから出射された照明光をライトガイドに誘導する反射面が形成されており、各ＬＥＤ１２６ａ〜１２６ｃから出射された照明光が外部に漏れたり、他の照明光と混じり合ったりすることなく、各導光部１４５を通って各ライトガイド１１１〜１１３のコア内に効率的に入射するようになっている。３本のライトガイド１１１〜１１３と第２照明光源１２２のＬＥＤ１２７ａ，１２７ｂ，１２７ｃとの接続も上記同様に構成される。
【００２９】
このため、第１照明光源１２１のＬＥＤ１２６ａから出射した照明光は、導光部１４５を通ってライトガイド１１１のコア内に入射し、このライトガイド１１１内を軸方向に伝送されるとともに、コア内に分散された光拡散用の微粒子の作用によってライトガイド１１１の径方向に拡散され拡散光の一部がクラッドを透過して出射する。これにより、遊技者には、ＬＥＤ１２６ａの点灯前に発光表示部１０１において透明であったライトガイド１１１が、ＬＥＤ１２６ａの点灯により当該ＬＥＤの発光色である赤色に発光して視認され、その発光輝度はＬＥＤ１２６ａに近い下側ほど明るく視認される。第１照明光源１２１における他のＬＥＤ１２６ｂ，１２６ｃについても同様に各色の発光が視認される。
【００３０】
また、第２照明光源１２２のいずれかのＬＥＤが点灯された場合にも同様であり、例えば、第２照明光源１２２におけるＬＥＤ１２７ｂが点灯されたときに、遊技者には、ＬＥＤ１２７ｂの点灯前に発光表示部１０１において透明であったライトガイド１１２が、ＬＥＤ１２７ｂの点灯により当該ＬＥＤの発光色である青色に発光して視認され、その発光輝度はＬＥＤ１２７ｂに近い上側ほど明るく視認される。
【００３１】
電飾制御部１５０は、主制御基板３１における遊技展開状況に応じて画像表示装置１６、スピーカ１７、電気装飾装置２０等の作動を制御する演出制御基板３２におけるライトガイド電飾装置１００の制御回路であり、遊技展開状況に応じて第１照明光源１２１及び第２照明光源１２２の作動を制御する。遊技展開に応じた作動制御は種々の構成形態が適用可能であり、その構成は自在である。
【００３２】
例えば、一本のライトガイド１１１について、第１照明光源１２１のＬＥＤ１２６ａ及び第２照明光源１２２のＬＥＤ１２７ａを単純にＯＮ／ＯＦＦ制御する簡単な制御構成でも、両方がＯＦＦ、ＬＥＤ１２６ａの単独点灯、ＬＥＤ１２７ａの単独点灯、両方がＯＮの４通りあり、このとき発光表示部１０１において下記４種類の異なる発光表示を行うことができる。すなわち、両方のＬＥＤがＯＦＦの場合には発光表示部１０１は発光せず、ライトガイド１１１は透明な状態で視認される。第１照明光源のＬＥＤ１２６ａを単独点灯させた場合にはライトガイド１１１の下部ほど発光輝度が高く、上部に向かうにつれ発光輝度が低い赤色の発光表示となり、ＯＮ／ＯＦＦを入れ替えて第２照明光源のＬＥＤ１２７ａを単独点灯させれば上下逆の表示となる。またＬＥＤ１２６ａ及びＬＥＤ１２７ａの両方を点灯させた場合には、上下両側の発光輝度が高くライトガイド１１１全体として片方点灯のときの２倍の明るさで赤色に発光する。
【００３３】
また、一本のライトガイド１１１について、上記ＯＮ／ＯＦＦ制御に加えてＬＥＤ１２６ａ及びＬＥＤ１２７ａの発光輝度を制御することにより、発光表示部１０１において「動的」な発光表現を行うことができる。例えば、第１照明光源１２１のＬＥＤ１２６ａを高輝度で単独点灯させた状態から徐々に発光輝度を低下させるとともに、第２照明光源１２２のＬＥＤ１２７ａを消光状態から点灯させて徐々に発光輝度を上昇させるように制御することで、赤色の高輝度発光領域が発光表示部１０１の下部から上方に移動する動的な発光表示を行うことができる。
【００３４】
上記のような発光制御を３本のライトガイド１１１〜１１３について、所定間隔で順に１本ずつ点灯または点滅表示させることにより、色彩（赤、青、緑）と高輝度部位の変化を伴った動的な発光表示を行うことができる。すなわち、第１照明光源のＬＥＤ１２６ａと第２照明光源のＬＥＤ１２７ａ、第１照明光源のＬＥＤ１２６ｂと第２照明光源のＬＥＤ１２７ｂ、第１照明光源のＬＥＤ１２６ｃと第２照明光源のＬＥＤ１２７ｃをそれぞれ一対とし、各対の上下のＬＥＤの一方を単独で、または同時に順次点灯させる。これにより遊技者には発光表示部１０１において上記した単色の変化に加えて、色彩と点灯部位が時間的に変化する動的な発光表示が認識される。この順次点灯は、例えば赤→青→緑→赤のように一定の順番で色彩を変化させるサイクル表示と、色彩をランダムに変化させるランダム表示とを行うことができ、変化させる周期も、例えばリーチ時には早いサイクルで変化させるなど遊技展開に応じて自在に行うことができ、演出効果を高めることができる。
【００３５】
さらに、３本のライトガイド１１１〜１１３について、複数本を同時に点灯または点滅表示させることにより、相互に捩られて交差するライトガイド１１１〜１１３の複数の交差部において、遊技者の視線上にある奥側のライトガイドの発光と手前側のライトガイドの発光とが混ざり合い、光の混合作用により各ライトガイドの発光色と異なる色彩及び輝度の２次色が視認される。例えば、赤色発光のライトガイド１１１と青色発光のライトガイド１１２の交差部ではピンク色、緑色発光のライトガイド１１３との交差部では黄色、青色発光のライトガイド１１２と緑色発光のライトガイド１１３との交差部では青緑、そして３本のライトガイド１１１，１１２，１１３の交差部では白色の２次色が視認される。さらに、これらの２次色の色調及び輝度は各ライトガイドの交差部近傍の輝度によっても変化する。このように、３本のライトガイド１１１〜１１３が、それぞれ異なる色彩で発光することに加えて、発光表示部１０１内の複数の交差部において各ライトガイドと異なる色彩及び輝度の発光が視認され、従来の電飾装置では得られない複雑な発色表現を行うことができる。
【００３６】
また、発光表示部の前方に、表裏貫通する透孔が多数形成されたパンチングメタル状のグリル部材１３２が設けられており、発光表示部における各ライトガイドの発光がグリル部材１３２の透孔の内面で乱反射され、多色の複雑な発光表現が視認される。さらに、上述したＯＮ／ＯＦＦ制御や発光輝度制御、時間制御を組み合わせることによって、さらに多様且つ複雑な発光表現を行うことができ、遊技演出効果を高めることができる。
【００３７】
従って、以上説明したライトガイド電飾装置１００によれば、可動部のない簡明な構成で、多種多様で複雑な発光表現を行うことができる遊技機用の電気装飾装置を提供することができる。
【００３８】
次に、第２実施形態のライトガイド電飾装置２００について説明する。この第２実施形態のライトガイド電飾装置２００は、第１照明光源１２１及び第２照明光源１２２における各３個のＬＥＤ１２６ａ〜１２６ｃ、１２７ａ〜１２７ｃの各ライトガイドに対する発光色の組み合わせが相違する点を除いて、上述した第１実施形態のライトガイド電飾装置１００と装置構成が同一である。そこで、以降では第１実施形態のライトガイド電飾装置１００との混同を避けるため、第１照明光源１２１に基板実装される３個のＬＥＤは前述同様に１２６（１２６ａ（赤色発光），１２６ｂ（青色発光），１２６ｃ（緑色発光））とし、第２照明光源１２２に基板実装される３個のＬＥＤを２２７（２２７ａ，２２７ｂ，２２７ｃ）と表記して、このライトガイド電飾装置２００の作用について説明する。図９に本実施形態のライトガイド電飾装置２００のブロック図を示す。
【００３９】
すなわち、第１実施形態のライトガイド電飾装置１００においては、各ライトガイド１１１〜１１３のコア内に下方から照明光を照射する第１照明光源１２１の３個のＬＥＤ１２６ａ〜１２６ｃと、上方から照明光を照射する第２照明光源１２２の３個のＬＥＤ１２７ａ〜１２７ｃとが、同一のライトガイドについて同一発光色の組み合わせであり、第１のライトガイド１１１について共に赤色発光のＬＥＤ１２６ａと１２７ａ、第２のライトガイド１１２について共に青色発光のＬＥＤ１２６ｂと１２７ｂ、第３のライトガイド１１３について共に緑色発光のＬＥＤ１２６ｃと１２７ｃが用いられた。
【００４０】
一方、第２実施形態のライトガイド電飾装置２００では、同一のライトガイドについて第１照明光源１２１と第２照明光源１２２とで異なる発光色のＬＥＤが組み合わされる。具体的には、例えば第１のライトガイド１１１について赤色発光のＬＥＤ１２６ａと青色発光のＬＥＤ２２７ａ、第２のライトガイド１１２について青色発光のＬＥＤ１２６ｂと緑色発光のＬＥＤ２２７ｂ、第３のライトガイド１１３について緑色発光のＬＥＤ１２６ｃと赤色発光のＬＥＤ２２７ｃが、各照明光源１２１，１２２のプリント配線板１２５に基板実装される。
【００４１】
電飾制御部１５０による第１照明光源１２１及び第２照明光源１２２の作動制御は、ライトガイド電飾装置１００と同様に種々の構成形態が適用可能であり、その構成は自在であるとともに、同様の制御であっても更に多彩な色彩表現が可能である。
【００４２】
例えば、前述したと同様に、一本のライトガイド１１１について各照明光源１２１，１２２のＬＥＤ１２６ａ，２２７ａを単純にＯＮ／ＯＦＦ制御する簡単な制御構成で表現される基本的な発光表示は４通りであり、両方のＬＥＤ１２６ａ，２２７ａをＯＦＦとした場合にライトガイド１１１が透明な状態で視認される点は同様である。一方、ＬＥＤ１２６ａを単独点灯させた場合には、ライトガイド１１１の下部ほど発光輝度が高い赤色の発光表示となるが、ＯＮ／ＯＦＦを入れ替えてＬＥＤ２２７ａを単独点灯させると、ライトガイド１１１の上部ほど発光輝度が高い青色の発光表示となり、発光表示部１０１において視認されるライトガイド１１１の発光色が赤色と青色とに変化する。さらに、ＬＥＤ１２６ａとＬＥＤ２２７ａの両方を点灯させた場合には、ライトガイド１１１の上下端部近傍において各ＬＥＤの発光色である青色と赤色が視認され、上下中間領域において青色からピンク色を経て赤色に変化する多色のグラデーションが視認される。
【００４３】
上記ＯＮ／ＯＦＦ制御に加えてＬＥＤ１２６ａ及びＬＥＤ２２７ａの発光輝度を制御する構成とすれば、単色の場合よりもさらに演出効果の高い動的な発光表現が可能であり、例えば、第１照明光源１２１のＬＥＤ１２６ａを高輝度で単独点灯させた状態から徐々に発光輝度を低下させるとともに、第２照明光源のＬＥＤ２２７ａを消光状態から点灯させて徐々に発光輝度を上昇させるように制御すれば、発光表示部１０１の下部が明るい赤色の単色発光から、上部にピンク色の発光が生じて赤色〜ピンク色のグラデーション表示となり、ピンク色領域が徐々に下方に移動して青色〜ピンク色〜赤色のグラデーション表示、ピンク色領域がさらに下方に移動して青色〜ピンク色のグラデーション表示、そして発光表示部の上部が明るい青色の単独発光へと、色彩変化を伴った演出効果の高い動的な発光表現を行うことができる。
【００４４】
他のライトガイド１１２，１１３についても同様であり、青色発光のＬＥＤ１２６ｂと緑色発光のＬＥＤ２２７ｂとを組み合わせた第２のライトガイド１１２においては、青色〜青緑色〜緑色のグラデーションを含む発光表示、緑色発光のＬＥＤ１２６ｃと赤色発光のＬＥＤ２２７ｃとを組み合わせた第３のライトガイド１１３においては、緑色〜黄色〜赤色のグラデーションを含む発光表示が行われる。
【００４５】
このような発光制御を各ライトガイド１１１〜１１３について、時間領域において制御することにより、各ライトガイド１１１〜１１３を各ＬＥＤの発光色を含めて多色に変化させることができ、すなわち、第１照明光源のＬＥＤ１２６ａと第２照明光源のＬＥＤ２２７ａ、第１照明光源のＬＥＤ１２６ｂと第２照明光源のＬＥＤ２２７ｂ、第１照明光源のＬＥＤ１２６ｃと第２照明光源のＬＥＤ２２７ｃをそれぞれ一対とし、各対の上下のＬＥＤの一方を単独で、または同時に順次点灯させる。これにより遊技者には各ＬＥＤ単独発光による単色光の色彩変化に加えて、上下のＬＥＤの中間色を含む多色の色彩変化と、中間色の部位が時間的に変化する動的な発光表示を行うことができる。このような各ライトガイドごとの順次点灯は、第１照明光源１２１または第２照明光源１２２について赤→青→緑→赤のように一定の順番で色彩を変化させる単色のサイクル表示、ランダムに変化させる単色のランダム表示に加えて、第１照明光源１２１及び第２照明光源１２２を同時に一定の順序で点灯させる多色のサイクル表示、多色のランダム表示を行うことができ、変化させる周期も、例えば大当たりの発生時に早いサイクルで多色のランダム表示を行わせるなど遊技展開に応じて自在に行うことができ、演出効果を高めることができる。
【００４６】
さらに、３本のライトガイド１１１〜１１３について、複数本を同時に点灯または点滅表示させることにより、相互に捩られて交差するライトガイド１１１〜１１３の複数の交差部において、遊技者の視線上にある奥側のライトガイドの発光と手前側のライトガイドの発光とが混ざり合い、各ＬＥＤの発光色や各ライトガイド内で混合された２次色とも異なる色彩及び輝度の発光表示を行うことができる。このように、３本のライトガイド１１１〜１１３が、それぞれ異なる色彩で多色発光することに加えて、発光表示部１０１内の複数の交差部において各ライトガイドの発光色と異なる色彩及び輝度の発光が視認され、従来の電飾装置では得ることができなかった多彩且つ複雑な発色表現を行うことができる。
【００４７】
また、発光表示部の前方に設けられたパンチングメタル状のグリル部材１３２の散乱効果により多色の複雑な発光表現が視認される。さらに、上述したＯＮ／ＯＦＦ制御や発光輝度制御、時間制御を組み合わせることによって、さらに多様且つ複雑な発光表現を行うことができ、遊技演出効果を高めることができる。
【００４８】
従って、以上説明した第２実施形態のライトガイド電飾装置２００によれば、可動部のない簡明な構成で、多種多様で複雑な発光表現を行うことができる遊技機用の電気装飾装置を提供することができる。
【００４９】
次に、第３実施形態のライトガイド電飾装置３００について説明する。この第３実施形態のライトガイド電飾装置３００は、第１照明光源１２１及び第２照明光源１２２における各３個のＬＥＤがいずれも赤（Ｒ）・緑（Ｇ）・青（Ｂ）の３原色とこれらの混合色を発光可能なフルカラーのＬＥＤである点において相違することを除き、既述した第１実施形態のライトガイド電飾装置１００及び第２実施形態のライトガイド電飾装置３００と装置構成が同一である。そこで、以降ではライトガイド電飾装置１００，３００との混同を避けるため、第１照明光源１２１に基板実装される３個のＬＥＤを３２６（３２６ａ，３２６ｂ，３２６ｃ）、第２照明光源１２２に基板実装される３個のＬＥＤを３２７（３２７ａ，３２７ｂ，３２７ｃ）と表記して、このライトガイド電飾装置３００の作用について説明する。図１０に本実施形態のライトガイド電飾装置３００のブロック図を示す。
【００５０】
すなわち、第３実施形態のライトガイド電飾装置３００では、第１実施形態のライトガイド電飾装置１００と同様に、同一のライトガイドについて上下のＬＥＤに同一色の発光を行わせることができるとともに、第２実施形態のライトガイド電飾装置２００と同様に上下のＬＥＤに異なる色彩の発光を行わせることができる。また上下のＬＥＤの発光色は組み合わせが固定されることなく任意の組み合わせが可能であることに加え、いずれのＬＥＤにおいても赤・緑・青の３原色のみならず赤〜青の中間色や、３原色を合成した白色光を発光させることができる。
【００５１】
電飾制御部１５０による第１照明光源１２１及び第２照明光源１２２の作動制御は、これまでに説明したライトガイド電飾装置１００及び２００と同様の作動制御及びこれらを組み合わせた作動制御に加えて、任意の中間色を組み合わせたさらに多様な制御を行うことができ、多種多彩な色彩表現が可能である。
【００５２】
例えば、一本のライトガイド１１１について各照明光源１２１，１２２のＬＥＤ３２６ａ，３２７ａをＯＮ／ＯＦＦ制御する制御構成について、各ＬＥＤごとにＲ・Ｇ・Ｂの３原色の内蔵素子のＯＮ／ＯＦＦ組み合わせとなることから、一方のＬＥＤについて表現される基本的な発光表示は８通り（発光無し、ＲＧＢの３原色、各２色の組み合わせによる中間３色、白色発光）あり、両方のＬＥＤ１２６ａ，２２７ａを組み合わせると６４通りの発光表示となる。この際、上下同一色の組み合わせでライトガイド電飾装置１００と同様の発光表示、上下異色の組み合わせでライトガイド電飾装置２００と同様の発光表示を行うことができ、かつ各々についてライトガイド電飾装置１００や２００と異なる中間色同士の混合及び白色の発光表現を行うことができる。
【００５３】
上記ＯＮ／ＯＦＦ制御に加えて発光輝度を制御する構成とすれば、さらに演出効果の高い動的な発光表現が可能であり、発光制御を各ライトガイド１１１〜１１３について時間領域において制御すれば動きのあるダイナミックな発光表現を行うことができる。さらに、３本のライトガイド１１１〜１１３の複数本を同時に点灯または点滅表示させることによって複数の交差部において発光が混ざり合い、各ＬＥＤの発光色や２次色とも異なる色彩及び輝度の発光表示が行われるため、従来の電飾装置では得ることができなかった多彩且つ複雑な発色表現を行うことができる。また発光表示部１０１の前方に設けられたグリル部材１３２の散乱効果により極めて多色の複雑な発光表現が視認される。既述したＯＮ／ＯＦＦ制御や発光輝度制御、時間制御を組み合わせることによって、さらに多様且つ複雑な発光表現を行うことができ、遊技演出効果を高めることができる。
【００５４】
従って、以上説明した第３実施形態のライトガイド電飾装置３００によれば、可動部のない簡明な構成で、第１実施形態の電気装飾装置１００や第２実施形態のライトガイド電飾装置２００よりもさらに多種多様で複雑な発光表現を行うことができる遊技機用の電気装飾装置を提供することができる。
【００５５】
なお、以上説明した実施形態では、本発明に係る電気装飾装置をパチンコ機ＰＭの中央飾り１５に設けた事例について説明したが、本発明はパチンコ機における他の部位、例えば透明素材で構成した遊技盤の裏面側やガラス扉、球皿ユニット等に設けることができるほか、種別の異なる他の遊技機、例えばアレンジボール機や雀球遊技機、スロットマシン等についても同様に適用し同様の効果を得ることができる。
【図面の簡単な説明】
【００５６】
【図１】本発明を適用した遊技機の一例として示すパチンコ機の正面図である。
【図２】上記パチンコ機における遊技盤単体の正面図である。
【図３】上記遊技盤を右斜め前方から見た斜視図である。
【図４】上記遊技盤を左斜め前方から見た斜視図である。
【図５】上記遊技盤に設けられたライトガイド電飾装置の下半分の要部構造を示す斜視図である。
【図６】第１実施形態のライトガイド電飾装置のブロック図である。
【図７】接続部材によるライトガイドとＬＥＤとの接続状況を示す断面図である。
【図８】第１照明光源の取着部周辺の背面斜視図である。
【図９】第２実施形態のライトガイド電飾装置のブロック図である。
【図１０】第３実施形態のライトガイド電飾装置のブロック図である。
【符号の説明】
【００５７】
ＰＭ  パチンコ機（遊技機）
２０  電気装飾装置
３２  演出制御基板
１００  ライトガイド電飾装置（第１実施形態の電気装飾装置）
１０１  発光表示部
１１０（１１１，１１２，１１３）  ライトガイド
１２０  照明光源
１２１  第１照明光源
１２２  第２照明光源
１２５  プリント配線板
１２６（１２６ａ，１２６ｂ，１２６ｃ）  ＬＥＤ（光源）
１２７（１２７ａ，１２７ｂ，１２７ｃ）  ＬＥＤ（光源）
１４０  接続部材
１４５  導光部
１５０  電飾制御部（制御装置）
２００  ライトガイド電飾装置（第２実施形態の電気装飾装置）
２２７（２２７ａ，２２７ｂ，２２７ｃ）  ＬＥＤ（光源）
３００  ライトガイド電飾装置（第３実施形態の電気装飾装置）
３２６（３２６ａ，３２６ｂ，３２６ｃ）  ＬＥＤ（光源）
３２７（３２７ａ，３２７ｂ，３２７ｃ）  ＬＥＤ（光源）
【図１】
2008161371.tif 000003
【図２】
2008161371.tif 000004
【図３】
2008161371.tif 000005
【図４】
2008161371.tif 000006
【図５】
2008161371.tif 000007
【図６】
2008161371.tif 000008
【図７】
2008161371.tif 000009
【図８】
2008161371.tif 000010
【図９】
2008161371.tif 000011
【図１０】
2008161371.tif 000012